(57)【特許請求の範囲】
【請求項１】
ＰＬＵファイルに登録された複数の商品情報の中から１つを選択して選択された商品情報を所定のラベルフォーマットに従い印字バッファに展開し、前記印字バッファに展開された印字データに基づいてラベル用紙に印字を行うようにしたラベル発行機において、
複数種類の前記ラベルフォーマットを格納するフォーマット格納領域と、
所定の前記ラベルフォーマットを特定する第１のフォーマット特定情報が設定されるフォーマット設定領域と、
前記フォーマット設定領域に設定された前記第１のフォーマット特定情報と前記ＰＬＵファイルに各商品毎に設定された所定の前記ラベルフォーマットを特定する第２のフォーマット特定情報とのうちいずれのフォーマット特定情報を用いるかを記憶する記憶部の設定内容を操作入力によって選択設定可能な選択手段と、
前記選択手段による前記記憶部の設定内容の選択に従い、前記フォーマット設定領域と前記ＰＬＵファイルとのいずれか一方から前記フォーマット特定情報を獲得するフォーマット獲得手段と、
前記フォーマット獲得手段によって獲得された前記フォーマット特定情報によって特定された前記ラベルフォーマットを前記フォーマット格納領域から呼び出して前記印字バッファに展開するフォーマット展開手段と、
を備えるラベル発行機。
【請求項２】
第２のラベル発行機の接続を許容して接続された前記第２のラベル発行機に対してデータ転送を行うデータ転送手段と、
ＰＬＵファイルに設定された第２のフォーマット特定情報によって特定された前記ラベルフォーマットを前記フォーマット格納領域から呼び出して前記データ転送手段により前記第２のラベル発行機にデータ転送するラベルフォーマット転送手段と、前記商品情報獲得手段が獲得した商品情報を前記データ転送手段により前記第２のラベル発行機にデータ転送する商品情報転送手段と、
を備える請求項１記載のラベル発行機。
【発明の詳細な説明】
【０００１】
【発明の属する技術分野】
本発明は、ＰＬＵファイル（ＰＬＵ：Price Look Up）に登録された商品情報を所定のラベルフォーマットに従い印字するようにしたラベル発行機に関する。
【０００２】
【従来の技術】
ＰＬＵファイルに登録された商品情報を所定のラベルフォーマットに従い印字するようにしたラベル発行機では、複数のラベルフォーマットから所望のラベルフォーマットを選択することができるように構成されているのが一般的である。つまり、そのようなラベル発行機では、複数のラベルフォーマットを予め保持しており、選択されたラベルフォーマットに従い印字バッファに印字データを展開してＰＬＵファイルに登録された所望の商品情報をラベルに印字するようにしている。
【０００３】
ここで、ラベルフォーマットの選択の仕方として、従来のラベル発行機には二通りの選択手法がある。一つ目の手法は、ＰＬＵファイルが各商品毎にラベルフォーマットに関する情報、つまり、フォーマット特定情報を有し、このフォーマット特定情報に基づいてラベルフォーマットを選択するという手法である（以下、便宜上、ＰＬＵファイル設定方式という）。このＰＬＵファイル設定方式は、フォーマット特定情報を各商品毎に自由に設定することができるという特質を備える。もう一つの手法は、ラベル発行機自体にラベルフォーマットの選択機能が備えられ、この選択機能によってラベルフォーマットを選択するという手法である（以下、便宜上、機械設定方式という）。この機械設定方式は、フォーマット特定情報を各商品毎に共通化することができるという特質を備える。
【０００４】
ついで、従来のラベル発行機には、第２のラベル発行機を接続することができるようなものもある。つまり、このような接続構造を持つシステムでは、ラベル発行機に接続された第２のラベル発行機に対するデータ転送を可能とすることで、ラベル発行機から第２のラベル発行機に印字データを転送することにより、第２のラベルプリンタからもラベルを発行することができるようにしている。この場合、第２のラベル発行機から発行するラベルのラベルフォーマットの指定は、ラベル発行機側で行うように構成されたものと、第２のラベル発行機側で指定するように構成されたものとの二種類がある。いずれにしても、ラベル発行機に第２のラベル発行機を接続するようにシステム構成されたものでは、同一の商品情報に関して、ラベル発行機で発行するラベルのラベルフォーマットと第２のラベル発行機で発行するラベルのラベルフォーマットとを別個独立に選択できるように構成されているのが一般的である。
【０００５】
【発明が解決しようとする課題】
ラベルフォーマットの選択の仕方として、ＰＬＵファイル設定方式を採用した場合、ラベルフォーマットはＰＬＵファイルの内容に依存することになる。このため、各商品について同じラベルフォーマットを持ったラベルを発行したいような場合、ＰＬＵファイル中のフォーマット特定情報を各商品毎に全部同じにしなければならないという不都合がある。これでは、フォーマット特定情報を各商品毎に自由に設定することができるというＰＬＵ設定方式が持つ特質が生かされないばかりか、ラベル発行の都度、ＰＬＵファイル中のフォーマット特定情報を各商品毎に全部同じに設定し直すという操作は現実性を欠く。
【０００６】
次いで、ラベルフォーマットの選択の仕方として、機械設定方式を採用した場合、ラベルフォーマットはラベル発行機が持つラベルフォーマットの選択機能に依存することになる。この場合、ラベルの発行は選択された１種類のラベルフォーマットによってのみ行われるため、ラベルフォーマットの再選択が行われない限り、そのラベルフォーマットに従い全ての商品についてラベルが発行されることになる。このため、各商品毎にラベルフォーマットを変更したいような場合、ラベルフォーマットの再選択を繰り返さなければならず、操作が煩雑であるという不都合がある。
【０００７】
さらに、ラベル発行機に第２のラベル発行機が接続されたシステムの場合、第２のラベル発行機から発行されるラベルのフォーマットは、機械設定方式によってのみ決定される。このため、各商品毎にラベルフォーマットを変更したいような場合、ラベル発行機側で、あるいは、第２のラベル発行機側で、ラベルフォーマットの再選択を繰り返さなければならず、操作が煩雑であるという不都合がある。
【０００８】
本発明の目的は、各商品について同一のラベルフォーマットを持つラベルの発行と各商品毎に独自のラベルフォーマットを持つラベルの発行とを煩雑な操作なしに実現することである。
【０００９】
本発明の別の目的は、ラベル発行機に接続された第２のラベル発行機からでも、各商品毎に独自のラベルフォーマットを持つラベルを煩雑な操作なしに発行することができるようにすることである。
【００１０】
【課題を解決するための手段】
請求項１記載のラベル発行機は、ＰＬＵファイルに登録された複数の商品情報の中から１つを選択して選択した商品情報を所定のラベルフォーマットに従い印字バッファに展開し、印字バッファに展開された印字データに基づいてラベル用紙に印字を行うようにしたラベル発行機において、複数種類のラベルフォーマットを格納するフォーマット格納領域と、所定のラベルフォーマットを特定する第１のフォーマット特定情報が設定されるフォーマット設定領域と、フォーマット設定領域に設定された第１のフォーマット特定情報と、ＰＬＵファイルに各商品毎に設定された所定のラベルフォーマットを特定する第２のフォーマット特定情報とのうち、いずれのフォーマット特定情報を用いるかを記憶する記憶部の設定内容を操作入力によって選択設定可能な選択手段と、選択手段による記憶部の設定内容の選択に従い、フォーマット設定領域とＰＬＵファイルとのいずれか一方からフォーマット特定情報を獲得するフォーマット獲得手段と、フォーマット獲得手段によって獲得されたフォーマット特定情報によって特定されたラベルフォーマットをフォーマット格納領域から呼び出して印字バッファに展開するフォーマット展開手段と、を備える。
【００１１】
従って、選択手段の選択により、ラベルフォーマットを検索する対象がフォーマット設定領域なのかＰＬＵファイルなのかが選択される。この場合、フォーマット設定領域に設定された第１のフォーマット特定情報は各商品毎に共通しており、ＰＬＵファイルに設定された第２のフォーマット特定情報は各商品毎独自のものである。よって、各商品について同一のラベルフォーマットを持つラベルの発行を行う場合にはフォーマット設定領域を選択すれば良く、また、各商品毎に独自のラベルフォーマットを持つラベルの発行を行う場合にはＰＬＵファイルを選択すれば良い。
【００１２】
請求項２記載の発明は、請求項１記載のラベル発行機において、第２のラベル発行機の接続を許容して接続された第２のラベル発行機に対してデータ転送を行うデータ転送手段と、ＰＬＵファイルに設定された第２のフォーマット特定情報によって特定されたラベルフォーマットをフォーマット格納領域から呼び出してデータ転送手段により第２のラベル発行機にデータ転送するラベルフォーマット転送手段と、商品情報獲得手段が獲得した商品情報をデータ転送手段により第２のラベル発行機にデータ転送する商品情報転送手段と、を備える。
【００１３】
従って、第２のラベル発行機にはＰＬＵファイルに設定された第２のフォーマット特定情報に特定されてフォーマット格納領域から呼び出されたラベルフォーマットがデータ転送手段に転送される。これにより、商品データの転送を受けた第２のラベル発行機では、そのラベルフォーマットに従った印字データが生成される。この場合、ＰＬＵファイルに設定された第２のフォーマット特定情報は各商品毎独自のものであるため、ラベル発行機に接続された第２のラベル発行機からでも、各商品毎に独自のラベルフォーマットを持つラベルを煩雑な操作なしに発行することができるようになる。
【００１４】
【発明の実施の形態】
本発明の実施の一形態を図面に基づいて説明する。本実施の形態は、図示しないサーマルプリンタヘッドを用いてラベル用紙１０１（図８及び図９参照）にライン型の印字を行うラベル発行機への適用例である。また、本実施の形態は、秤部を備え、この秤部による秤量結果に基づいて得られた情報をラベル１０１に印字することもできる。
【００１５】
図１は、各部の電気的接続のブロック図である。まず、各種演算処理を実行して各部を集中的に制御するＣＰＵ１が設けられ、このＣＰＵ１には動作プログラムやＰＬＵファイル２（図２参照）等を格納するフラッシュＲＯＭ３と、各種の可変データを書き換え自在に格納してワークエリアや印字バッファ等として用いられるＲＡＭ４とがバスライン５を介して接続されており、これにより、マイクロコンピュータ６（以下、マイコン６と略称する）が構成されている。このマイコン６により、ラベル発行機における各部が制御される。ここで、本実施の形態では、動作プログラムがフラッシュＲＯＭ３に格納されているが、これは、フラッシュＲＯＭ３の空き領域を有効活用する目的で行われているだけである。実施に際しては、ＲＯＭを別途設け、このＲＯＭに動作プログラムが書き込まれたいわゆるファームウェア構成となっていても良い。また、本実施の形態では、フラッシュＲＯＭ３にＰＬＵファイル２が格納されているが、実施に際しては、例えばバスライン５に接続されたイーサネットインターフェース７を介してＬＡＮ上からＰＬＵファイル２の全部又は一部をダウンロードできる構成であっても良い。
【００１６】
次いで、前述したサーマルプリンタヘッドを含む第１プリンタユニット８が設けられ、この第１プリンタユニット８は第１プリンタエンジン９を介してバスライン５に接続され、マイコン６に統括制御される。また、前述した秤部を構成するロードセルユニット１０が設けられ、このロードセルユニット１０は秤インターフェース１１を介してバスライン５に接続され、マイコン６に統括制御される。また、バスライン５に接続されてマイコン６に統括制御されるものとしては、キーコントローラ１２を介してバス接続されるキーボード１３と、表示コントローラ１４を介してバス接続されるＬＣＤディスプレイ１５及びＬＥＤ１６と、Ｉ／Ｏポート１７を介してバス接続される各種センサ１８とが設けられている。ここで、ＬＣＤディスプレイ１５は、タッチパネル構成のものである。さらに、バスライン５には、第２プリンタインターフェース１９を介して第２のラベル発行機としての第２プリンタユニット２０が接続されている。この第２プリンタインターフェース１９は、マイコン６の統括制御によってラベル発行機に接続された第２プリンタユニット２０にデータ転送を行うデータ転送手段の機能が実行されるに際して不可欠な要素である。
【００１７】
次いで、フラッシュＲＯＭ３には、ＰＬＵファイル２等の他に、複数種類のラベルフォーマットが記憶保持されている。これらのラベルフォーマットは、ラベル１０１に対して印字を行う際の書式情報である。したがって、フラッシュＲＯＭ３は、ラベルフォーマットを格納するフォーマット格納領域として機能する。ここで、本実施の形態ではフォーマット格納領域としてフラッシュＲＯＭ３が用いられているが、実施に際しては、これに限定されるわけではなく、ハードディスクや光メディア等、各種の情報記憶媒体を利用することができる。
【００１８】
図２は、フラッシュＲＯＭ３に格納されたＰＬＵファイル２の構造を示す模式図である。ＰＬＵファイル２には、各商品毎に、１〜３８項目までの各内容、例えば、品番（１項目）、分類コード（２項目）、ＪＡＮコード（４項目）等について、桁数、バイト数、データタイプ及び備考が設定されたファイル構造を持つ。このようなＰＬＵファイル２には、２２項目目に配列された第１プリンタユニット８のためのラベルフォーマット２ａと、３８項目目に配列された第二プリンタユニット２０のためのラベルフォーマット２ｂとが各商品毎に設定可能となっている。これらのラベルフォーマット２ａ，２ｂは、フラッシュＲＯＭ３に格納された複数のラベルフォーマットのうちの１つを特定する第２のフォーマット特定情報として機能する。
【００１９】
図３は、ＲＡＭ４内にバックアップされているプリンタ情報の模式図である。プリンタ情報には、どのプリンタユニット８，２０を使用するかを決定するためのプリンタ切替情報２１として、第１プリンタユニット８のみ、第２プリンタユニット２０のみ、または、第１プリンタユニット８と第２プリンタユニット２０との両方の３通りの設定が可能である。また、プリンタ情報には、第１プリンタユニット８のためのラベルフォーマット２２ａと、第２プリンタユニット２０のためのラベルフォーマット２２ｂとが設定可能となっている。これらのラベルフォーマット２２ａ，２２ｂは、５０種類ずつ設定可能であり、フラッシュＲＯＭ３に格納されたラベルフォーマットを特定する第１のフォーマット特定情報として機能する。そこで、ＲＡＭ４内のプリンタ情報を格納する領域は、フォーマット設定領域として用いられる。
【００２０】
図４は、ＲＡＭ４内におけるイニシャル設定内容を示す模式図である。本実施の形態のラベル発行機では、イニシャル設定中のイニシャル５として、１項目〜８項目までの各項目の設定が可能となっている。つまり、キーボード１３やＬＣＤディスプレイ１５のタッチパネルによってイニシャル設定作業の実行が指定されると、マイコン６の統括制御によって、図４に例示する設定内容に相当する画面がＬＣＤディスプレイ１５に表示される。これらの各設定項目のうち、７項目目では、ＰＬＵのラベルフォーマットを使用するか使用しないかが設定可能である。つまり、フラッシュＲＯＭ３中からのラベルフォーマット選択のために、ＲＡＭ４内にバックアップされているプリンタ情報中のラベルフォーマット２２ａ，２２ｂを用いるか、あるいは、ＰＬＵファイル２中のラベルフォーマット２ａ，２ｂを用いるかが、イニシャル設定画面によって設定可能となっている。７項目目のＰＬＵのラベルフォーマットを「使用しない」を選択すれば、フラッシュＲＯＭ３から所望のラベルフォーマットを選択する識別子として、ラベルフォーマット２２ａ，２２ｂが使用され、ＰＬＵのラベルフォーマットを「使用する」を選択すれば、フラッシュＲＯＭ３から所望のラベルフォーマットを選択する識別子として、ＰＬＵファイル２中のラベルフォーマット２ａ，２ｂが使用される。ここで、ＰＬＵのラベルフォーマットを「使用しない」と「使用する」との選択は、例えば、ＬＣＤディスプレイ１５上で、いずれかの表示領域を指でタッチするというような周知のタッチパネル手法で実現可能である。
【００２１】
図５は、ＬＣＤディスプレイ１５におけるプリンタ設定用の画面を示す模式図である。キーボード１３やＬＣＤディスプレイ１５のタッチパネルによってプリンタの選択が指定されると、マイコン６は、図５に例示するような画面をＬＣＤディスプレイ１５に表示する。このプリンタ設定用の画面においては、プリンタの切り換え、ラベルフォーマット、送り量、テスト印字、発行方法、ラベル感度、印字濃度及びセンサ１５の種別を設定可能である。例えば、第１プリンタユニット８と第２プリンタユニット２０とのいずれか一方又は両方を使用するかどうか、各プリンタユニット８，２０に割り振られたラベルフォーマットは何番か、というようなことが図５に例示するプリンタ設定用の画面に基づいて設定可能である。より詳細には、マイコン６の統括制御により、「第１プリンタ」がタッチされると第１プリンタユニット８が使用可能となり、「第２プリンタ」がタッチされると第２プリンタユニット２０が使用可能となる。この場合、「第１プリンタ」と「第２プリンタ」との両方がタッチされると、両方のプリンタユニット２０が使用可能となる。このようなプリンタ種別の設定は、図５に例示する設定画面からの入力に応じて図３に例示するプリンタ切替情報２１に、「００」（第１プリンタ）、「０１」（第２プリンタ）、「０２」（第１および第２プリンタ）のいずれかが設定されることによりなされる。また、第１プリンタに対応するラベルフォーマットの欄をタッチすると、その場所にキーボード１３からの入力値が設定され、第２プリンタに対応するラベルフォーマットの欄をタッチすると、その場所にキーボード１３からの入力値が設定されるよう、マイコン６は各部を統括制御する。このようなフォーマット情報の設定は、図５に例示する設定画面からの入力に応じて図３に例示するラベルフォーマット２２ａ，２２ｂに「１〜５０」の数値が設定されることによりなされる。ここに、フォーマット設定手段の機能が実行される。
【００２２】
図６は、ＬＣＤディスプレイ１５における品番呼び出し画面を示す模式図である。各種の設定を終了した後に、例えばキーボード１３からのキー入力によってラベル発行しようとする商品の品番を指定して図６に例示するような品番呼び出し画面をＬＣＤディスプレイ１５に呼び出すと（商品情報獲得手段）、設定されたラベルフォーマットの各項目にその商品の商品情報が設定されたラベル１０１のイメージが表示される。このイメージに対しては、所定の編集も可能である。そして、この状態でキーボード１３中に含まれている発行キーを押下すると、ラベル１０１の発行処理が行われる。
【００２３】
図７は、ラベル発行処理の概略を示すフローチャートである。まず、ＲＡＭ４に設定された図４に例示するイニシャル設定内容を検索し、７項目目のＰＬＵのラベルフォーマットの状態が確認される（ステップＳ１）。つまり、ＰＬＵのラベルフォーマットの状態に応じ、ＲＡＭ４中にバックアップ保持された第１のフォーマット特定情報であるラベルフォーマット２２ａ，２２ｂ（図３参照）を指定するか、ＰＬＵファイル２に設けられた第２のフォーマット特定情報であるラベルフォーマット２ａ，２ｂ（図２参照）を指定するかが選択される。ここに、いずれのフォーマット情報を用いるかを選択する選択手段の機能が実行される。
【００２４】
次いで、図４に例示するイニシャル設定内容において７項目目のＰＬＵのラベルフォーマットが「使用する」に設定されていればＰＬＵファイル２からラベルフォーマット２ａ，２ｂの情報が呼び出され（ステップＳ２）、「使用しない」に設定されていればＲＡＭ４にバックアップ保持されたラベルフォーマット２２ａ，２２ｂが呼び出される（ステップＳ３）。この場合、ラベルフォーマット２２ａ，２２ｂは各商品毎に共通しており、ラベルフォーマット２ａ，２ｂは各商品毎独自のものである。よって、各商品について同一のラベルフォーマットを持つラベル１０１の発行を欲する場合には、図４に例示するイニシャル設定内容として７項目目のＰＬＵのラベルフォーマットを「使用しない」に設定しておけば良く、また、各商品毎に独自のラベルフォーマットを持つラベルの発行を行う場合には、図４に例示するイニシャル設定内容として７項目目のＰＬＵのラベルフォーマットを「使用する」に設定しておけば良い。
【００２５】
ついで、ステップＳ２又はステップＳ３の処理に続き、図３に例示するプリンタ切替情報２１が参照され、その設定値が「００」の場合には（ステップＳ４のＹ，Ｓ９のＹ）、第１プリンタユニット８からのみラベル１０１を印字発行する（ステップＳ５，Ｓ１０）。また、「０１」の場合には（ステップＳ６のＹ，Ｓ１１のＹ）、第２プリンタユニット２０からのみラベル１０１を印字発行する（ステップＳ７，Ｓ１２）。この際、ラベル発行機でのマイコン６の制御により、第２プリンタインターフェース１９を通じて、第２プリンタユニット２０にラベルフォーマット及び商品情報が転送される（ラベルフォーマット転送手段、商品情報転送手段）。この場合のラベルフォーマットは、ＰＬＵファイル２が備えるラベルフォーマット２ｂか、プリンタ設定用の画面において設定されたラベルフォーマット２２ｂかのいずれかである。さらに、「００」でも「０１」でもない場合には（ステップＳ６のＮ，Ｓ１１のＮ）、両方のプリンタユニット８，２０からラベル１０１が印字発行される（ステップＳ８，Ｓ１３）。この場合、「００」でも「０１」でもない場合を認識するのではなく、積極的に「０２」である場合を認識する構成であっても良い。
【００２６】
ここで、ラベル１０１の印字発行は、ＲＡＭ４中のバックアップ領域又はフラッシュＲＯＭ３中のＰＬＵファイルから検索されて呼び出されたラベルフォーマットをＲＡＭ４中の印字バッファに展開し（フォーマット展開手段）、展開されたラベルフォーマットに応じて商品情報獲得手段が獲得した商品情報をも印字バッファに展開して印字データを生成し（印字データ生成手段）、これにより生成された印字データに基づいてラベル用紙に印字を実行することによりなされる。本実施の形態では、ステップS７及びＳ８において、第２のラベル発行機である第２プリンタユニット２０からでも、各商品毎に独自のラベルフォーマットを持つラベルを煩雑な操作なしに発行することができる。
【００２７】
図８はラベル１０１への印字例を示すラベルの正面図、図９はラベルへの別の印字例を示すラベル１０１の正面図である。図８（ａ）は、ＰＬＵファイル２に含まれているラベルフォーマット２ａに基づいて第１プリンタユニット８によって印字されたラベル１０１の例であり、図８（ｂ）は、ＰＬＵファイル２に含まれているラベルフォーマット２ｂに基づいて第２プリンタユニット８によって印字されたラベル１０１の例である。図８では、各商品毎に独自のラベルフォーマットを持つラベル１０１の発行が行われていることがわかる。これに対し、図９（ａ）は、ＲＡＭ４のバックアップ領域に設定されたラベルフォーマット２２ａに基づいて第１プリンタユニット８によって印字されたラベル１０１の例であり、図９（ｂ）は、ＲＡＭ４のバックアップ領域に設定されたラベルフォーマット２２ｂに基づいて第１プリンタユニット８によって印字されたラベル１０１の例である。本実施の形態では、そのようなラベルフォーマットに従ったラベル１０１の印字発行を全ての商品について実行可能である。このように、各商品について同一のラベルフォーマットを持つラベル１０１の発行と各商品毎に独自のラベルフォーマットを持つラベル１０１の発行とが煩雑な操作なしに両立する。
【００２８】
【発明の効果】
請求項１記載の発明は、ラベルフォーマットの検索を、フォーマット設定領域に設定された各商品毎に共通する第１のフォーマット特定情報に対して行うか、ＰＬＵファイルに設定された各商品毎に独自の第２のフォーマット特定情報に対して行うかを選択可能としたので、各商品について同一のラベルフォーマットを持つラベルの発行を行う場合にはフォーマット設定領域を選択し、各商品毎に独自のラベルフォーマットを持つラベルの発行を行う場合にはＰＬＵファイルを選択することで、各商品について同一のラベルフォーマットを持つラベルの発行と各商品毎に独自のラベルフォーマットを持つラベルの発行とを煩雑な操作なしに両立することができる。
【００２９】
請求項２記載の発明は、ラベル発行機に接続された第２のラベル発行機に各商品毎に独自の第２のフォーマット特定情報に基づくラベルフォーマットを転送するようにしたので、ラベル発行機に接続された第２のラベル発行機からでも、各商品毎に独自のラベルフォーマットを持つラベルを煩雑な操作なしに発行することができる。
【図面の簡単な説明】
【図１】本発明の実施の一形態を示す各部の電気的接続のブロック図である。
【図２】ＲＡＭ内にバックアップされているプリンタ情報の模式図である。
【図３】ＲＡＭ内におけるイニシャル設定内容を示す模式図である。
【図４】フラッシュＲＯＭに格納されたＰＬＵファイルの構造を示す模式図である。
【図５】ディスプレイにおけるプリンタ設定用の画面を示す模式図である。
【図６】ディスプレイにおける品番呼び出し画面を示す模式図である。
【図７】ラベル発行処理の概略を示すフローチャートである。
【図８】ラベルへの印字例を示すラベルの正面図である。
【図９】ラベルへの別の印字例を示すラベルの正面図である。
【符号の説明】
２                ＰＬＵファイル
２ａ，２ｂ        第２のフォーマット特定情報（ラベルフォーマット）
３                フォーマット格納領域（フラッシュＲＯＭ）
４                印字バッファ（ＲＡＭ）
４                フォーマット設定領域（ＲＡＭ）
２０              第２のラベル発行機（第２プリンタユニット）
２１ａ，２１ｂ    第１のフォーマット特定情報（ラベルフォーマット）
Ｓ１              選択手段
Ｓ２，Ｓ３        フォーマット獲得手段
【図１】
0003956257.tif 000002
【図２】
0003956257.tif 000003
【図３】
0003956257.tif 000004
【図４】
0003956257.tif 000005
【図５】
0003956257.tif 000006
【図６】
0003956257.tif 000007
【図７】
0003956257.tif 000008
【図８】
0003956257.tif 000009
【図９】
0003956257.tif 000010